(57)【特許請求の範囲】
【請求項１】
ケース２０５と、
該ケースに対して回動自在に取付けられ被施術者の頭部を覆うフード２０７と、
前記ケース内に収容され前記ケースの上端より露出する開口部に複数の差し込み口２０１ｂが形成された蓋板２０１ｃが取付けられた吸引パイプ２０１ａと、
該吸引パイプ内を負圧状態となし、かつ、前記フード内に温風を送風し加温雰囲気とする送風手段２１３と、
一端が前記吸引パイプ内に挿入され中間部が前記蓋板の差し込み口に空気漏れがないように引き出し自在に保持された複数のチューブ８と、
前記蓋板より露出しているチューブの先端に着脱自在に取付けられる空気流通孔を有する複数のロッドＲと、
前記吸引パイプからチューブを介して複数のロッド内を負圧状態とする吸引手段２０１と、
前記ロッドが接続されない前記チューブの先端に脱着自在に取付けられ、前記吸引手段によって前記チューブ内が負圧状態を維持するためのキャップ８３と、  より構成したことを特徴とするパーマネントウェーブ処理装置。
【請求項２】
前記フードは固定フードと、該固定フードに対して後方もしくは側方からの施術が可能なように開放可能なフードとからなり、前記送風手段よりの温風吹出口および前記吸引手段の吸引口は前記固定フード側に設けられていることを特徴とする請求項１記載のパーマネントウェーブ処理装置。
【請求項３】
前記ロッドを介して吸引された温風内の水分を分離する気水分離手段を前記吸引手段内に設けたことを特徴とする請求項１記載のパーマネントウェーブ処理装置。
【請求項４】
前記送風手段は、前記気水分離手段において水分が除去された温風を加温雰囲気中に戻す帰還送風手段を有することを特徴とする請求項１記載のパーマネントウェーブ処理装置。
【請求項５】
前記帰還送風手段の送風経路中に、パーマネント用薬剤の臭気を吸引・分解する脱臭手段を設けたことを特徴とする請求項４記載のパーマネントウェーブ処理装置。
【請求項６】
前記チューブと前記ロッドとは回転自在なジョイント手段を介して接続されていることを特徴とする請求項１記載のパーマネントウェーブ処理装置。
【請求項７】
前記ジョイント手段は、前記チューブ側に接続されたボール部と、ロッド側に形成された該ボール部が回動自在に嵌合される係合孔とから形成され、かつ、前記ボール部に前記キャップが着脱自在に取付けられることを特徴とする請求項６記載のパーマネントウェーブ処理装置。
【請求項８】
前記ロッド内に水分排出壁を形成して毛髪に付着している水分を外部に排出することでロッド内に水が溜まらないようにしたことを特徴とする請求項１記載のパーマネントウェーブ処理装置。
【請求項９】
前記ロッドは長手方向に沿って少なくとも２つに分割され
ていることを特徴とする請求項１記載のパーマネントウェーブ処理装置。
【請求項１０】
前記ロッドは長手方向に沿って少なくとも２つに分割され、該分割されたロッドは連結片によって分離しないように構成されていることを特徴とする請求項９記載のパーマネントウェーブ処理装置。
【請求項１１】
前記分割されているロッドの合わせ目には吸引時における空気の漏れを防止するための空気漏れ防止手段が施されていることを特徴とする請求項９または１０記載のパーマネントウェーブ処理装置。
【請求項１２】
前記ロッドもしくは前記フード側の適宜位置に少なくとも１個以上の温度や湿度を計測するためのセンサを取付けたことを特徴とする請求項１記載のパーマネントウェーブ処理装置。
【発明の詳細な説明】
【技術分野】
【０００１】
毛髪のパーマネントウェーブ処理に関し、その処理結果が従来の装置で処理した場合と比べ、毛髪の損傷を抑え、その仕上がりのウェーブが良く、かつ、安全性の高い施術が行えるパーマネントウェーブ処理装置に関する。
【背景技術】
【０００２】
一般的にパーマネントウェーブの処理は、次のような工程で行われている。その工程は、毛髪をロッドに巻き、還元剤を含むパーマネント第１剤を塗布し毛髪を軟化膨潤させた後、毛髪に付着した還元剤を洗い流し、酸化剤を含むパーマネント第２剤を塗布し毛髪の内部の結合を酸化固定し、ロッドを外し毛髪を乾燥させる工程である。
しかし、この一般的なパーマ処理方法は、広く一般的に普及している技術であるが、処理した毛髪のウェーブは、乾燥させると大きくなる（ダレる）という欠点があり、また、そのウェーブを保持する期間も十分に満足いくものではなかった。
そこで、近年、ヘアアイロン又は加熱ロッドを用いて、毛髪を加熱させる工程をパーマ処理に加えた方法が特開２００４−２６２７９８号公報に開示されている。この処理方法の工程は、毛髪に還元剤を含むパーマネント第１剤を塗布し毛髪を軟化膨潤させた後、水洗いし余分な水分を拭き取り、加熱可能なロッドに毛髪を巻きつけ、ロッドを加熱することにより毛髪を加熱した後、酸化剤を含むパーマネント第２剤を塗布し毛髪の内部の結合を酸化固定し、ロッドを外し毛髪を乾燥させる工程である。
このヘアアイロンまたは加熱ロッドを用いたパーマ処理方法は、還元された毛髪を加熱した後に、毛髪の内部結合を酸化固定（パーマネント第２剤処理）し、その後にパーマネント第２剤を洗い流し乾燥するという工程である。
【特許文献１】特開２００４−２６２７９８号公報
【発明の開示】
【０００３】
前記の先行例は、ロッドに何十かに重なって巻かれている毛髪を、ロッドからの伝熱のみであるため、ヘアアイロンおよび加熱ロッドの温度を高くする必要がある。ヘアアイロンの場合は１８０℃以上、加熱ロッドの場合は１００℃以上の温度で処理が行われている。
このように、高温で加熱処理を行うため、毛髪の損傷が大きくなる。特に、毛髪全体において損傷度が高い毛先部分が、ロッドの内側に巻かれた状態となり、直接ロッドの伝熱を受けるため、より毛髪損傷を進める結果となる。また、被施術者の頭部にヘアアイロンまたは加熱ロッドを接近させるため、被施術者の頭部が熱くなって不快感を与えるといった問題があった。
本発明は前記した問題点を解決せんとするもので、その目的とするところは、前記毛髪の全体に対して温風を送風し、毛髪を介して送風された温風をロッド内部から吸引することで、乾燥温度を低く抑えて毛髪の損傷を低減し、被施術者の高温による熱さと危険性が少なく、また、ロッドに忠実なウェーブが形成され、乾燥してもウェーブが緩くならず、かつ、初期のウェーブ状態を長期間持続することができるパーマネントウェーブ処理装置を提供せんとするにある。
本発明に係るパーマネントウェーブの処理装置は前記した目的を達成せんとするもので、請求項１の手段は、ケースと、該ケースに対して回動自在に取付けられ被施術者の頭部を覆うフードと、前記ケース内に収容され前記ケースの上端より露出する開口部に複数の差し込み口が形成された蓋板が取付けられた吸引パイプと、該吸引パイプ内を負圧状態となし、かつ、前記フード内に温風を送風し加温雰囲気とする送風手段と、一端が前記吸引パイプ内に挿入され中間部が前記蓋板の差し込み口に空気漏れがないように引き出し自在に保持された複数のチューブと、前記蓋板より露出しているチューブの先端に着脱自在に取付けられる空気流通孔を有する複数のロッドと、前記吸引パイプからチューブを介して複数のロッド内を負圧状態とする吸引手段と、前記ロッドが接続されない前記チューブの先端に脱着自在に取付けられ、前記吸引手段によって前記チューブ内が負圧状態を維持するためのキャップとより構成したことを特徴とする。
請求項２の手段は、前記した請求項１において、前記フードは固定フードと、該固定フードに対して後方もしくは側方からの施術が可能なように開放可能なフードとからなり、前記送風手段よりの温風吹出口および前記吸引手段の吸引口は前記固定フード側に設けられていることを特徴とする。
請求項３の手段は、前記した請求項１において、前記ロッドを介して吸引された温風内の水分を分離する気水分離手段を前記吸引手段内に設けたことを特徴とする。
請求項４の手段は、前記した請求項１において、前記送風手段は、前記気水分離手段において水分が除去された温風を加温雰囲気中に戻す帰還送風手段を有することを特徴とする。
請求項５の手段は、前記した請求項４において、前記帰還送風手段の送風経路中に、パーマネント用薬剤の臭気を吸引・分解する脱臭手段を設けたことを特徴とする。
請求項６の手段は、前記した請求項１において、前記チューブと前記ロッドとは回転自在なジョイント手段を介して接続されていることを特徴とする。
請求項７の手段は、前記した請求項６において、前記ジョイント手段は、前記チューブ側に接続されたボール部と、ロッド側に形成された該ボール部が回動自在に嵌合される係合孔とから形成され、かつ、前記ボール部に前記キャップが着脱自在に取付けられることを特徴とする。
請求項８の手段は、前記した請求項１において、前記ロッド内に水分排出壁を形成して毛髪に付着している水分を外部に排出することでロッド内に水が溜まらないようにしたことを特徴とする。
請求項９の手段は、前記した請求項１において、前記ロッドは長手方向に沿って少なくとも２つに分割されていることを特徴とする。
請求項１０の手段は、前記した請求項９において、前記ロッドは長手方向に沿って少なくとも２つに分割され、該分割されたロッドは連結片によって分離しないように構成されていることを特徴とする。
請求項１１の手段は、前記した請求項９または１０において、前記分割されているロッドの合わせ目には吸引時における空気の漏れを防止するための空気漏れ防止手段が施されていることを特徴とする。
請求項１２の手段は、前記した請求項１において、前記ロッドもしくは前記フード側の適宜位置に少なくとも１個以上の温度や湿度を計測するためのセンサを取付けたことを特徴とする。
本発明のパーマネントウェーブ処理装置は前記したように、被施術者の毛髪を加温雰囲気となす加温手段と、空気の流通が可能なように形成された毛髪を巻くためのロッドと、前記ロッド内を負圧状態とする吸引手段と、前記ロッドと前記吸引手段とを接続する接続手段とから構成したので、ロッドに毛髪を巻いた状態でロッド内から空気を吸引すると共に毛髪を加温状態とすることで、加温と吸引が同時に行われロッドに巻かれている毛髪の乾燥温度を低く抑えることができ、従って、毛髪の損傷を低減し、被施術者の高温による熱さと危険性が少なく、しかも、ロッドに忠実なウェーブが形成され、乾燥してもウェーブが緩くならず、かつ、初期のウェーブ状態を長期間持続することができる。
また、接続手段は、可撓性を有するチューブで構成され、該チューブの複数本が吸引手段に対して着脱自在に取付可能なように構成されているので、吸引手段に対して多数のロッドをチューブを介して取付けることができ、さらに、チューブが取付けられる吸引手段には、前記チューブを外した場合に空気の流通を遮断するように構造されているので、チューブを取付けない吸引手段からの空気の吸引が行われず、従って、チューブを介しての吸引のみであるので、ロッドからの吸引力が低下せず吸引効率が高くなる。
また、チューブは複数のロッドと接続可能なように多数本に分岐されているので、より多数のロッドの接続が可能となり、パーマのバリエーションが多くできて被施術者の好みに合わせることができ、さらに、毛髪を加温雰囲気とする手段が、被施術者の頭部に位置するフードと、該フード内に温風を供給する送風手段とから構成したので、温風の送風が効率的に行われフードの温度管理が正確に行えて毛髪の乾燥を効率的に行うことが可能となる。
また、フードは固定フードと、該固定フードに対して後方からの施術が可能なように開放可能な開閉フードとからなり、送風手段よりの温風吹き出し口および吸引手段の吸引口が固定フード側に設けられているので、開閉フードを開放することで、毛髪にロッドを巻き付ける等の施術を被施術者の後ろ側から行えるので、被施術者や施術者が他の席に移動することなく固定位置で行え、また、毛髪の確認を被施術者が行う場合には開閉フードを開放することで行える。
さらに、毛髪を加温雰囲気となす手段が、頭部に対してヒーター等の放射熱で行われるようにすることで、簡易な装置によって毛髪の乾燥を比較的迅速に行うことができ、また、ロッドを介して接続手段で吸引された温風内の水分を分離する気水分離手段を設けることで、水分が外部に排出されることがないので吸引用のモータファンが腐食するのを防止でき、また、気水分離手段において水分が除去された温風を加温雰囲気中に戻す帰還送風手段と、外気を吸引したヒーター等によって加熱した温風を加温雰囲気中に送風するための外気送風手段との２つで毛髪に温風を供給することで、毛髪に対する温風の供給率が高くなって乾燥時間の短縮とヒーターの電力を低くできて省エネ化を図ることができる。
さらに、帰還送風手段の送風経路中に、パーマネント用薬剤の周期を吸着・分解する脱臭手段を設けることで、空気中の臭いを除去して室内環境を良好に保つことができる。
また、ロッドと吸引手段とを接続する接続手段が可撓性を有するチューブで形成され、かつ、該チューブの一端はロッドの一端に形成された接続部材に接続され、チューブの他端は吸引手段に形成された多数の出入自在な接続部に接続されているので、使用時のみチューブを引き出し、該引き出したチューブの先端にロッドを接続することでパーマ作業が行えるので、使用しないチューブは吸引手段内に入れておけることから、使用しないチューブが邪魔になることがなく、かつ、チューブの保管が非常に簡単である。
さらに、チューブとロッドとは回動自在なジョイント手段を介して接続されているので、ロッドをチューブに対して回動することでロッドが毛髪にフィットして毛髪を引っ張るようなことがなく、また、ジョイント手段は、チューブ側に接続されたボール部と、ロッド側に形成された該ボール部が回動自在に嵌合される係合孔とから形成され、かつ、ボール部には係合孔に嵌合しない状態において空気の吸引を阻止するためのキャップが着脱自在に取付けられるので、チューブに対するロッドの取付けが簡単に行え、また、ボール部にキャップを嵌めることで吸引が阻止されることから、ロッドからの吸引のみとなって吸引力が低下せず吸引効率を高めることができる。
また、ロッドを長手方向に沿って少なくとも２分割して未使用時に内部に溜まった薬液の清掃が行えるので、常時ロッドを綺麗に、かつ、衛生的保管することが可能であり、さらに、分割されたそれぞれを連結片で分離しないようにしたので、バラバラになることがないので紛失したり、あるいは、毛髪を巻くときに一体化されているロッドと同じように扱うことができ、また、分割されているロッドの合わせ目には吸引時における空気の漏れを防止するための空気漏れ防止手段が施されているので、従来のロッドと同じように接合部分からの空気漏れによって乾燥時間が長くなるようなことがない。
また、ロッドの閉塞端側の内面には、毛髪に付着している水分を外部に排出してロッド内に水が溜まらないように水分排出壁が形成されているので、ロッドからの水や薬液が床面や被施術者の衣服に落下して汚すことがなく、さらに、ロッドもしくはフード側の適宜位置に少なくとも１個以上の温度や湿度を計測するためのセンサを取付けることで、毛髪の温度や湿度を最適な状態に管理して良好なパーマ処理を行うことができる等の効果を有するものである。
【図面の簡単な説明】
【０００４】
第１図は、本発明に係るパーマネントウェーブの処理装置における全体の概略を示す側面図である。
第２図は、同上の要部を示す側面図である。
第３図は、詳細を示す斜め後方から見た透視斜視図である。
第４図は、同上の後方から見た斜視図である。
第５図は、雄、雌接続体を接続する前の状態を示す斜視図である。
第６図は、同上の接続状態を示す斜視図である。
第７図は、（ａ）雄、雌接続体を接続する前の状態を示す側面断面図、（ｂ）は接続状態を示す側面図である。
第８図は、第２の実施例を示し、加熱装置によって被施術者の頭部雰囲気を高温状態とした側面図である。
第９図は、同上の加熱装置に変えてドライヤーを用いる場合の斜め背面図である。
第１０図は、第３の実施例を示す側面図である。
第１１図は、同上の斜視図である。
第１２図は、内部構造を示す説明図である。
第１３図は、ケースを取り除いた正面図である。
第１４図は、同上の側面図である。
第１５図は、図１３の背面図である。
第１６図は、同上の上面図である。
第１７図は、同上における吸気手段部分の詳細を示す斜視図である。
第１８図は、ロッドの正面図である。
第１９図は、同上のＡ−Ａ線断面図である。
第２０図は、ロッドを２分割した状態の他の実施例の展開図である。
第２１図は、同上の２分割したロッドを連結片で連結した展開図である。
第２２図は、同上の平面図である。
第２３図は、２分割したロッドを合わせた状態の断面図である。
【発明を実施するための最良の形態】
【０００５】
本発明は、被施術者の毛髪を空気の流通が可能なロッドに巻き付けた状態で毛髪を加温雰囲気となし、かつ、前記ロッドに接続した接続手段を介して吸引手段によってロッド内を負圧状態とした。
【実施例１】
【０００６】
以下、本発明に係るパーマネントウェーブの処理装置の１実施例を図面と共に説明する。
第１図において、Ａは前記した毛髪に還元剤を含む第１液を塗布し、該第１液が反応するまで放置してから毛髪の表面に付着した前記第１液を洗い流した後に、美容用椅子Ｂの背面に移動させて濡れている毛髪を乾燥するための移動可能な本発明に係るパーマネントウェーブの処理装置である。
パーマネントウェーブの処理装置Ａは、キャスターが取付けられた基台１と、該基台１から垂直に延長された支柱２と、後に詳述する吸引手段３と温風を吹き出す送風手段４が収容されたハウジング５と、該ハウジング５の上部に取付けられた被施術者の頭部に被せるフード６とから構成されている。
ハウジング５内における導出部５１内は仕切り板５２が設けられ吸引室と送風室との２つに分割され、かつ、前記仕切り板５２の両面にはモータ３１，４１が背中合わせに固定されている。そして、モータ３１にはシロッコ型の吸引ファン３２が、モータ４にはシロッコ型の送風ファン４２が取付けられている。
前記吸引室の排気側には排気ダクト３３が接続されており、該排気ダクト３３の排気口にはフィルタを兼ねる消音フィルタ３４が取付けられ、また、前記吸引ファン３２の側面には一端が後述するフード６内に設置されたリング状の吸引管６３と接続されたバキュームダクト３５の排気口が配置されている。さらに、該バキュームダクト３５の途中には粉塵フィルタ３６が取付けられている。
一方、前記送風室を構成するハウジング５の前記送風ファン４２によって吸引口に対応する壁面には吸気フィルタ４３が取付けられており、また、送風室にはフード６内に温風を送風するための一端がフード６の背面側に開口する温風ダクト４４の他端が取付けられている。また、温風ダクト４４の途中には送風ファン４２より送風される空気を加熱するためのヒーター４５が取付けられている。なお、図示していないが、温風ダクト４４よりの温風をマイナスイオン化するためのイオン発生器が取付けられていてもよい。
フード６は本出願人が出願した特開２００４−４１６に開示されている発明と同様に、固定フード６１と開閉フード６２とから構成され、開閉フード６２は被施術者が被った状態において前頭部側で開放され、この開放状態において施術者の後頭部側から各種の施術、例えば、薬液の塗布等が行えるように構成されている。
固定フード６１の内周面には前記バキュームダクト３５が接続される吸引管６３が取付けられており、該吸引管６３の複数個所に第５図〜第７図に示す接続具７の雌接続体７１が取付けられている。この雌接続具７１は、第７図（ａ）に示すように周面に開口部７１ａを有する円筒状に形成されており、円筒内部にはスプリング７１ｂと、該スプリング７１ｂによって円筒状の開口７１ｃを塞ぐ弁７１ｄが内蔵されている。従って、後述する雄接続体７２が差し込まれていない状態にあっては、弁７１ｄがスプリング７１ｂによって付勢されているので、弁７１ｄは雌接続体７１の開口７１ｃを塞いでいる。また、雌接続体７１の内周面には雄接続体７２の外周面に数個形成されているロック突起７２ｂをガイドし係合ロックするためのロック溝７１ｅが形成されている。
一方、雄接続体７２も前記雌接続体７１と同様に円筒状に形成されると共に雌接続体７１内に挿入可能な径に形成され、先端には雄接続体７２を雌接続体７１内に挿入した時に、弁７１ｄをスプリング７１ｂのバネ力に抗して押し上げる突起７２ａが複数個形成されている。また、周面には雌接続体７１の内周面に形成されているロック溝７１ｅにガイドされ、かつ、係合されるロック突起７２ｂが形成されている。
このように構成した接続体７は、雄接続体７２が雌接続体７１に接続されていない状態にあっては、弁７１ｄが開口７１ｃを塞いでいるので、吸引管６３が吸引状態になっても接続体７から吸引は行われない。そして、雄接続体７２を雌接続体７１に嵌合した場合には、弁７１ｄが後退して開口部７１ａが雄接続体７２と連通することとなるので、雄接続体７２に接続されるチューブ８を介して、該チューブ８の先端に接続されているロッド内が負圧状態となる。
８は前記雄接続体７２に嵌合固定されるフレキシブルなチューブにして、途中が複数本に分岐され、それぞれの先端は被施術者の毛髪を巻き付けているロッドＲに対して着脱自在に接続される構造となっている。なお、図示していないが、ロッドＲには毛髪を巻き付けた状態で、毛髪を介してフード６内の温風を吸い込むように多数の長孔あるいは丸孔のような形状となっている。
なお、９は前記したハウジング５の背面に取付けられた操作パネルにして、電源ボタンや送風温度調整ボタン、時間設定ボタン等の操作ボタンが取付けられ、かつ、温度や時間を表示するための表示面が取付けられると共に、温度監視によって送風や吸引を停止させるための制御回路が内蔵されている。
次に、本発明のパーマネントウェーブの処理装置を使用してパーマを行う方法の一例を図面と共に説明する。
先ず、毛髪にパーマネントウェーブ用の還元剤である第１液を塗布し、５〜２０分放置して毛髪を軟化し膨潤させる。次いで、軟化処理後の毛髪を洗髪し、余分な水分を除去する。余分な水分を除去した後にパーマネント第２剤を塗布し、その後、毛髪をロッドＲに巻き付ける。次いで、フード６における開閉フード６１を前方に開放した状態で分岐されているチューブ８の先端をロッドＲに接続する。
その後、開閉フード６２を閉じ、操作パネル９を操作し温風の温度や時間を設定して送風手段４と吸引手段３を駆動状態にする。すると、送風ファン４２が回転して吸気フィルタ４３を介して清浄な空気が温風ダクト４４に流れ込みヒーター４５によって加熱された温風がフード６内に供給される。
一方、吸引ファン３２も回転するので、チューブ８、吸引管６３およびバキュームダクト３５を介して排気ダクト３３に排気されるので、ロッドＲ内は負圧状態となってフード６内の温風は毛髪を通過してロッドＲに形成されている空気流通部を介して吸引管６３から排気される。この時、ロッドＲには多数の空気流通部が形成されているので、温風はロッドＲに巻かれている全体を通過することになり、乾燥は短時間で行われるものである。
前記乾燥工程が終了したなら送風手段３を停止し、吸引手段２のみを動作させて吸引して温まった毛髪を冷却する。該冷却が終了したならロッド１に巻かれている毛髪にパーマネントウェーブ用の酸化剤である第２液を塗布し１〜１５分放置する。そして、毛髪の酸化が終了したならロッド１を外して毛髪を洗髪し、乾燥させてスタイリングを行うことで作業は終了する。
前記した説明において、チューブ８が吸引管６３に接続されていない場合には、雌接続体７１における吸引側の開口７１ｃが閉じられるので、他の接続体７よりの吸引力が低下することがないが、チューブ８から分岐されている部分にロッドＲが接続されていない場合には、このロッドＲが接続されていない部分からの吸引が行われ他のロッドＲにおける吸引力が低下するので、チューブ８とロッドＲとの接続部にも、ロッドＲを外した場合に外されたチューブ８から吸引が行われないような構造とすることが望ましい。
なお、パーマネントウェーブの他の処理方法としては、前記した処理方法がロッドＲに巻き付けるタイミングとしてパーマネント第２剤を塗布した後にロッドＲに巻き付けたが、第２の処理方法としは、パーマネント第１剤を塗布した後にロッドＲに巻き付ける。
【実施例２】
【０００７】
次に、第８図、第９図に示す第２の実施例について説明する。
前記した実施例はフード６内の雰囲気を加温状態としたのに対して、本実施例は被施術者の頭部全体にヒーターよりの熱を放射し、この状態でロッドＲ内を負圧状態とすることで毛髪の乾燥を行うものである。
その構造は、第８図にあっては、ヒーターおよびヒーターからの熱を反射板を介して熱を放射するリング状に形成された熱源１０ａを、被施術者の頭部全体に放射するように回転させる、例えば、特開平１−２２１１０４号公報に開示された構造の加温手段１０と、前記した吸引手段４のみを組み込んだ吸引装置１０１とから構成したものである。そして、吸引装置１０１より前記したチューブ８が引き出されており、このチューブ８より分岐されたチューブにロッドＲを装着することで、前記した第１の実施例と同様に、加温手段１０により被施術者の頭部雰囲気は加温状態となっているので、該熱をロッドＲを介して吸引することで毛髪の乾燥が短時間で行える。
第９図は前記した加温手段１０に変えて公知のドライヤーを毛髪に吹き付けると共に、吸引装置１０１でドライヤーよりの熱を吸引するものであり、第８図と同様に毛髪の乾燥を短時間で行うことができる。
【実施例３】
【０００８】
次に、第３の実施例を第１０図〜第１９図と共に説明する。なお、前記した各実施例と同一符号は同一部品を示し説明は省略する。
キャスターが取付けられた基台１には第１２図〜第１６図に示す吸引手段２０１、帰還送風手段２０２、外気送風手段２０３、気水分離手段２０４が取付けられ、これらの手段２０１〜２０４はケース２０５によって覆われている。
また、ケース２０５の上面前方には、該ケース２０５に対して回動自在に半円状のアーム２０６が取付けられ、このアーム２０６とケース２０５の天板２０５ａの一部にわたってフード２０７が取付けられている。このフード２０７は柔軟性を有する不通気性の布によって構成され、被施術者の額から襟部にわたる頭部を覆う構造となっている。
また、前記天板２０５ａには前記各種の手段を駆動する時間を設定するためのタイマー用スイッチや、フード２０７内の温度や湿度を設定するための温度・湿度設定用スイッチや、前記設定した状態を表示する液晶表示板等を有するパネル２０５ｂが取付けられている。
前記ケース２０５内に収容されている吸引手段２０１は複数（図示にあっては２本）の吸引パイプ２０１ａと、該吸引パイプ２０１ａの下端が後に詳述する気水分離手段２０４を介して接続されたモータと吸引ファンとからなる吸引室２１１とから構成されている。
前記吸引パイプ２０１の上端には多数の差し込み口２０１ｂが形成された蓋板２０１ｃによって塞がれている。
前記吸引パイプ２０１ａにおける蓋板２０１ｂに開口されている差し込み口２０１ｃには第１７図〜第１９図に示すようにチューブ８が出入自在で、かつ、差し込み口２０１ｃとチューブ８との間から空気が漏れないようにした状態で差し込まれている。そして、チューブ８の先端には後述するロッドＲに取付けられた閉塞部材８２の係合孔８２ａに着脱自在なボール部８１が取付けられている。このボール部８１にはチューブ８と連通する円錐状の空気孔８１ａが形成されている。また、この空気孔８１ｂには脱着自在にキャップ８３が取付けられている。
ロッドＲは公知のロッドと同様に円筒状に形成されている。そして、ロッドＲの外周には空気流通孔Ｒ１が形成され、一端には前記ボール部８１ａが着脱自在で、かつ、回動自在に嵌合される円球状の係合孔８２ａが形成された閉塞部材８２が止着されている。また、ロッドＲの他端にパーマ用の薬剤が塗布された毛髪からの水分がロッドＲ内に溜まるのを防止するための断面凸状の水分排出壁Ｒ２が形成されている。そして、前記ボール８１と閉塞部材８２とでジョイント手段が構成されている。
このように構成した吸引手段２０１にあっては、吸引室２１１によって吸引が行われているので、該吸引室２１１に接続されている気水分離手段２０４内は負圧状態となる。該気水分離手段２０４内が負圧状態になると吸引パイプ２０１ａ内も負圧状態となるので、該吸引パイプ２０１ａにチューブ８を介して接続されているロッドＲ内も負圧状態となるので、ロッドＲに巻かれている毛髪に塗布されているパーマ薬剤が空気流通孔Ｒ１から吸引されて気水分離手段２０４内に供給される。
ここで、薬剤の薬液を含んだ空気は、気水分離手段２０４によって水分と空気とに分離されて空気だけが吸引室２１１内に供給される。なお、薬剤等の水分は気水分離手段２０４内に貯留されるが、就業後において店員等によって廃棄すればよい。
前記気水分離手段２０４において水分が除去された空気中には薬剤の臭いが含まれているので、気水分離手段２０４と吸引室２１１とを結ぶ配管中に臭気を吸着・分解する臭気手段（図示せず）を配置しておくことにより、吸引室２１１内に臭気が入り込むことがない。
前記吸気室２１１の排出側には循環送風手段２０２の帰還パイプ２０２ａが接続されており、該帰還パイプ２０２ａの上端は天板２０５より突出しフード２０７内に開口している。従って、吸引室２１１で吸引された空気は帰還パイプ２０２ａを介してフード２０７内に供給される。なお、循環送風手段２０２が不要である場合には、吸気室２１１に排気管２１１ａを取付けて外部に排気する。また、循環送風手段２０２を利用してフード２０７に戻す場合と、排気管を２１１ａを利用して排気する場合の何れかを選択可能に構成する場合には、ダンパー等の切換手段によって行うようにしてもよい。
次に、外気送風手段２０３について説明するに、前記吸気室２１１内に隣接して送風室２１３が設けられ、前記モータを共用して送風ファンを配置して外気導入パイプ２１３ａより送風室２１３内に外気を取り込む。そして、取り込まれた外気は先端が天板２０５より突出してフード２０７内に開口している送風パイプ２０３ａ内に供給される。ここで、送風パイプ２０３ａにはヒーター２０３ｂが内蔵されているので、吸引された外気は加熱されてフード２０７内に供給される。
なお、図示していないが、毛髪の温度や湿度を検出するためのセンサがフード２０７の所望位置あるいはロッドＲ内に配置され、該センサよりのリード線はパネル２０５ｂに組み込まれている温度制御回路に接続されている。なお、第８図に示したようなヒーターよりの熱によって毛髪を加熱状態とする場合には、ロッドＲのみに温度や湿度を検出するセンサを設置することになる。
次に、この実施例における動作について説明するに、先ず、フード２０７が取付けられているアーム２０６を上方に回動した状態で前面側に配置された椅子に被施術者を着座させ、この状態において吸引手段２０１よりチューブ８を引き出しチューブ８の先端に取付けられているボール部８１の空気孔８１ａからキャップ８３を抜く。
次いで、ロッドＲに取付けられている閉塞部材８２の係合孔８２ａにボール部８１を嵌合する。次に、ロッドＲに被施術者の毛髪に巻き付けるが、この時、ロッドＲはチューブ８に対して回動自在であることから、ロッドＲに毛髪を巻き付ける作業が容易であり、かつ、巻き付けた後に毛髪が引っ張られることがないので、被施術者に対して毛髪が引っ張られる苦痛を与えることがない。
そして、アーム２０６を水平状態に戻してフード２０７を被施術者の頭部に被せ、パネル２０５ｂにおいて温風の温度設定、すなわち、ヒーター２０３ｂによる送風温度の設定と処理時間を設定してパーマネントウェーブ処理を開始する。
処理が開始されるとヒーター２０３ｂに通電が行われると共に送風室２１３から外気の吸引が行われ外気導入パイプ２０３ａに導入され、導入された外気はヒーター２０３ｂで加熱されフード２０７に供給される。一方、吸引室２１１において吸引が開始されるので、ロッドＲ内が負圧状態となってロッドＲの空気流通孔Ｒ１より温風が吸引されるので、フードＲ内の温かい空気は毛髪を介して吸引され吸引パイプ２０１ａを介して気水分離手段２０４に導入される。
この気水分離手段２０４において吸引された温風に含まれている水分（主にパーマ薬剤）が分離されて温風のみが吸引室２１１内に吸引される。この吸引室２１１において帰還送風手段２０２側が開放されている場合には、吸引室２１１より帰還パイプ２０２ａに温風が供給されるので、この温風は脱臭手段を介してフード２０７内に戻される。
そして、フード２０７は帰還パイプ２０２ａよりの温風と送風パイプ２０３ａよりの温風とが流れ込むので、送風パイプ２０３ａより温風を供給する場合よりもフード２０７内は高温となるので、ヒーター２０３ｂの電力を少なくでき省エネ化を図ることができる。
このようにフード２０７内には温風が供給されるが、ここで、センサが常時フード２０７内の温度あるいは毛髪の温度を監視していることから、最初に設定した温度より高くなった場合にはヒーター２０３ｂへの通電を停止あるいは電力を低下させて所定の温度に制御し、また、低くなった場合にはヒーター２０３ｂへの電力を上げて所定の温度に制御することで、フード２０７の温度は一定に保たれる。
そして、このような制御を行い設定した時間に達すると全ての動作が終了してブザー等を駆動して施術者に知らせることで、施術者はアーム２０６を上げてフード２０７を被施術者の頭部から避けて毛髪からロッドＲを取り外し、チューブ８を吸引パイプ２０１ａ内に押し込み、かつ、ボール部８１にキャップ８３を嵌め込んで作業は終了する。
第２０図〜第２３図は他の実施例におけるロッドＲを示している。前記したロッドＲの場合には内部が閉塞部材８２側および空気流通孔Ｒ１と以外で密閉状態となっているので、毛髪を巻いた状態で前記吸引が行われると毛髪に塗布されている薬液は水分排出壁Ｒ２から排出されるものの長期間の使用によって薬液が堆積される。
そこで、この実施例にあっては、ロッドＲを長手方向に沿って少なくとも２分割（実施例では２分割であるが３分割あるいは４分割でもよいが以下２分割として説明する）Ｒ，Ｒ′し、２分割した一方のロッドＲに閉塞部材８２を一体的に形成し（第２０図）、あるいは、ロッドＲの射出成形時に２つのロッドＲ，Ｒ′の両端を薄い連結片Ｒ３で連結して分離しないように形成する（第２１図）。
このようにロッドＲを分割することで、ロッドＲ内部に汚れが発生した場合には、ロッドＲを開くことで内部の清掃を行うことが可能となる。ただし、２つのロッドＲ，Ｒ′を単に合わせただけでは、該合わせ目から吸引時に空気が漏れてしまう可能性がある。そこで、図示のように分離された２対の縁対抗面に凹部Ｒ４ａと凸部Ｒ４ｂを形成し、この凹凸Ｒ４ａ，Ｒ４ｂを嵌め込むことで２つの辺からの空気漏れを防止できる。
しかし、このような凹凸のみでは空気漏れは防止可能であるが、２つに分割された縁対抗面での密着度が低いために僅かながらでも空気漏れの可能性がある。そこで、第２２図、第２３図に示すように連結片Ｒ３側の縁対抗面に前記した凹凸Ｒ４ａ，Ｒ４ｂを形成し、他の縁対抗面側の一方に鉤付きの凸条Ｒ５ａを形成し、他方に前記凸条Ｒ５ａの鉤部が係合する長溝Ｒ５ｂを形成することで、連結片Ｒ３側は凹凸Ｒ４ａ，Ｒ４ｂの係合によって空気漏れが防止でき、また、他方側は鉤付きの凸条Ｒ５ａと長溝Ｒ５ｂとの嵌め込みによって一体化されるので、ロッドＲの分割部分よりの空気漏れは防止され、かつ、処理中にロッドＲが分離することが防止できる。なお、清掃時には鉤付きの凸条Ｒ５ａと長溝Ｒ５ｂとの嵌め込みを解除することにより分割が可能となることは勿論のことである。
前記した第１７図〜第２３図に示したロッドＲに形成されている空気流通孔Ｒ１としては、何れも長孔に形成したものを示したが、この空気流通孔Ｒ１は丸孔を適宜個数を円周上に形成したものであってもよい。
【産業上の利用可能性】
【０００９】
本発明は、美容院や理容院において、被施術者の毛髪に対してパーマネントウェーブを施すための装置に関する。
【図１】
0004673883.tif 000002
【図２】
0004673883.tif 000003
【図３】
0004673883.tif 000004
【図４】
0004673883.tif 000005
【図５】
0004673883.tif 000006
【図６】
0004673883.tif 000007
【図７】
0004673883.tif 000008
【図８】
0004673883.tif 000009
【図９】
0004673883.tif 000010
【図１０】
0004673883.tif 000011
【図１１】
0004673883.tif 000012
【図１２】
0004673883.tif 000013
【図１３】
0004673883.tif 000014
【図１４】
0004673883.tif 000015
【図１５】
0004673883.tif 000016
【図１６】
0004673883.tif 000017
【図１７】
0004673883.tif 000018
【図１８】
0004673883.tif 000019
【図１９】
0004673883.tif 000020
【図２０】
0004673883.tif 000021
【図２１】
0004673883.tif 000022
【図２２】
0004673883.tif 000023
【図２３】
0004673883.tif 000024